(57)【要約】【課題】均一性の高い照射光を必要な場所に照射できる照明機能付き手摺りを提供する。【解決手段】手摺り本体と、前記手摺り本体の一部に配置され、前記手摺り本体の長手方向に沿って延在し、透光性を有する化粧カバーと、前記化粧カバーより内側に配置され、前記手摺り本体の長手方向に沿って延在し、光を反射・拡散してスリットより放射するフラッターと、前記フラッターの内側に配置された光源と、を備えた照明機能付き手摺りとした。【選択図】図２
2013053476.tif 000002
【特許請求の範囲】
【請求項１】
手摺り本体と、
前記手摺り本体の一部に配置され、前記手摺り本体の長手方向に沿って延在し、透光性を有する化粧カバーと、
前記化粧カバーより内側に配置され、前記手摺り本体の長手方向に沿って延在し、光を反射・拡散してスリットより放射するフラッターと、
前記フラッターの内側に配置された光源と、
を備えたことを特徴とする照明機能付き手摺り。
【請求項２】
前記化粧カバーの内側には、前記化粧カバーの長手方向に沿って延在した蓄光材が設けられることを特徴とする請求項１に記載の照明機能付き手摺り。
【請求項３】
前記化粧カバーに蓄光材が含有されている、または前記化粧カバーに蓄光材を含有した塗料が塗布されていることを特徴とする請求項１に記載の照明機能付き手摺り。
【請求項４】
前記化粧カバーが前記手摺り本体の複数箇所に配置されていることを特徴とする請求項１〜請求項３のいずれかに記載の照明機能付き手摺り。
【請求項５】
前記化粧カバーの内側に配置されて前記化粧カバーの長手方向に沿って延在した蓄光材が一箇所または複数箇所に配置されていることを特徴とする請求項４に記載の照明機能付き手摺り。
【請求項６】
蓄光材が含有されている、または蓄光材を含有した塗料が塗布されている前記化粧カバーが一箇所または複数箇所に配置されていることを特徴とする請求項４に記載の照明機能付き手摺り。
【請求項７】
前記光源を固定する配線基板またはリフレクタを備えることを特徴とする請求項１〜請求項６のいずれかに記載の照明機能付き手摺り。
【請求項８】
前記光源は前記配線基板の片面または両面に配置されることを特徴とする請求項７に記載の照明機能付き手摺り。
【請求項９】
複数配置される前記光源の配置数量及び配置間隔は、前記化粧カバーのサイズに応じて決定されていることを特徴とする請求項１〜請求項８のいずれかに記載の照明機能付き手摺り。
【請求項１０】
前記手摺り本体の長さが２００ｍｍ〜２０００ｍｍの範囲内であることを特徴とする請求項１〜請求項９のいずれかに記載の照明機能付き手摺り。
【請求項１１】
前記フラッターの形状とサイズ、及び前記スリットのサイズと配置が、前記化粧カバーのサイズと配置、及び前記光源の数量と配置を考慮して設計されることを特徴とする請求項１〜請求項１０のいずれかに記載の照明機能付き手摺り。
【請求項１２】
前記蓄光材の厚みが１ｍｍ〜１０ｍｍの範囲内であることを特徴とする請求項２または請求項５に記載の照明機能付き手摺り。
【請求項１３】
前記手摺り本体、または前記手摺り本体の一端部に設けられて前記手摺り本体を壁面または床面に固定支持するブラケット、または前記手摺り本体の下方を壁面または床面に固定支持する手摺り本体支持部に、人体を感知するセンサーまたは光を感知するセンサーを配置していることを特徴とする請求項１〜請求項１２のいずれかに記載の照明機能付き手摺り。
【請求項１４】
前記手摺り本体内部、または前記ブラケット内部にタイマーを配置していることを特徴とする請求項１３に記載の照明機能付き手摺り。
【請求項１５】
前記手摺り本体内部、または前記手摺り本体の一端部に設けられて前記手摺り本体を壁面または床面に固定支持するブラケット内部に、前記光源に電源を供給するための電源回路を配置していることを特徴とする請求項１〜請求項１４のいずれかに記載の照明機能付き手摺り。
【請求項１６】
外部に設けられた前記光源に電源を供給するための電源回路ユニットを接続可能であることを特徴とする請求項１〜請求項１４のいずれかに記載の照明機能付き手摺り。
【請求項１７】
前記光源はＬＥＤ光源であることを特徴とする請求項１〜請求項１６のいずれかに記載の照明機能付き手摺り。
【請求項１８】
複数の前記手摺り本体は、ブラケットによって繋がれることを特徴とする請求項１〜請求項１７のいずれかに記載の照明機能付き手摺り。
【発明の詳細な説明】
【技術分野】
【０００１】
本発明は、照明機能を有した手摺りに関する。
【背景技術】
【０００２】
一般に、建物の階段や廊下などには、歩行者の安全を配慮して手摺りが設置されている。しかしながら、夜間など暗い場所で光源がない場合には、手摺りの存在が分からず、その役割を果たすことができない場合がある。
【０００３】
暗い場所でも、手摺りの存在を容易に確認できるようにするには、光源を設置して手摺りに光を当てるか、或いは手摺り自身を発光させる必要があり、夜間などの暗い場所でも手摺りが容易に確認できると共に、足元を照らし安全性を確保できるように、照明機能を持たせた手摺りが提案されている。
【０００４】
照明機能を有する手摺り製品に関する従来技術としては、特許文献１〜５等に示されている。
【０００５】
特許文献１に示された照明機能付き手摺りは、図３１に示すように、透明または半透明の樹脂から成型された筒状の手摺り本体３１１と、筒状部材３１２と、手摺り本体３１１の内部に配置された照明手段と、手摺り本体３１１の両端に装着され固定するエンドキャップ３１３とを備えることで、手摺りとしての所定強度を有するものである。
【０００６】
また、この特許文献１に示された照明機能付き手摺りは、２つの半筒状部材を組み立てて構成される筒状部材３１２と、筒状部材の端部に配置される光源体３１４と、筒状部材３１２の両端に配置され光源体３１４への配線手段を有する端面部材３１５とを備える照明ユニットを備えており、配線基板を使用していないことで、３６０度方向に照射することが可能となる。それと共に、エンドキャップ３１３が透明または半透明樹脂で成型され、端面がレンズ機能を有することで、手摺りの両端からも照射することができるものである。
【０００７】
また、特許文献２には、図３２に示すように、屋内用の手摺り３２１とその手摺りに沿う歩行者の足元周辺を照らす補助照明器具として、ベース盤３２２を建物の壁面へ既設の手摺り３２１と平行に後付け固定することにより、その既設の手摺り３２１と歩行する足元との異なる２方向を、第１、２ＬＥＤ配線基板３２３、３２４に固定されているＬＥＤ３２５の発光によって同時に照明することができるものが開示されている。この補助照明器具は、既設のあらゆる手摺りに適用し得る汎用性があるものである。また、発光体としてのＬＥＤ３２５が、人体検知センサーの検知出力信号を受けて自動点灯するようにした場合、人為的なスイッチオン・オフ操作を行う必要がないものである。
【０００８】
なお、目隠し化粧カバー３２６を蓄光材を混入した合成樹脂から成形した場合には、光を蓄積するため、停電時の歩行安全性を確保することができるとしているが、蓄光された光は直ちに照射されるため、停電時の照射を長時間確保できるわけではない。
【０００９】
また、特許文献３には、図３３に示すように、手摺り本体３３１と、照明手段を収納し設置面を有して手摺り本体３３１を支持するブラケット３３２とを有する照明機能付き手摺りが開示されている。ブラケット３３２には、人が近付くとこれを検知する人体検知手段３３３と、検知を受けて照明を促す手段とを備えている。
【００１０】
また、人体検知手段３３３による検知がされてからタイマーなどの計測手段により所定時間が経過した後に、所定のタイミングで照明手段を駆動させるようにしたものであってもよく、また、周囲の明るさを検知することが可能な照度センサー３３４を備えた場合には、この照度センサー３３４により検知された照度が所定値に達した時に、照明手段を駆動させるようにしたものであってもよいとされている。
【００１１】
また、ブラケット３３２が蓄光性を有する樹脂体からなる場合、照明が切れた後もブラケット３３２自体がぼんやりと見えるものである。
【００１２】
また、特許文献４には、図３４に示すように、アルミ押出管３４１の円周面に光を透過し得るカバーチューブ３４２が被着一体化された手摺り本体Ｇと、これを固定支持させる一対の中空手摺り受けＢ１とから成る照明機能付き手摺りが開示されている。アルミ押出管３４１の中空内部に、ＬＥＤ配線基板３４３受け入れ用の溝レールと、アルミ押出管３４１の円周面にその溝レールと連通する一条の光透過口とが列設される。複数個のＬＥＤ３４４が点在分布状態に設置されたＬＥＤ配線基板３４３の長尺な一個か、またはその隣り合う相互の通電状態にある短尺な複数個が、アルミ押出管３４１の溝レール内へ差し込み敷設される。そして、そのＬＥＤ配線基板３４３の一端部を中空手摺り受けＢ１の中空内部から電源へ接続配線することにより、ＬＥＤ３４４から出射された光がアルミ押出管３４１の光透過口からカバーチューブ３４２を通じて、手摺り本体Ｇの外部へ透過するようにしたものである。
【００１３】
また、特許文献５に示された照明機能付き手摺りは、図３５及び図３６に示すように、手摺り部材３５１を固定するブラケット３５２に人感知センサー３５３または光センサー３５３を設けているため、センサーを壁面などに取付けるための施工が不要であり、施工コストを低減できるものである。また、手摺り部材３５１の長手方向に沿って形成した凹溝内に発光体３５４が設置されると共に、ブラケットにセンサーを設けた構造であるため、手摺り部材３５１の材質や構造に制限されないものである。
【先行技術文献】
【特許文献】
【００１４】
【特許文献１】特開２０１０−７０９６２号公報
【特許文献２】特開２００９−２１８１４５号公報
【特許文献３】特開２００６−０４５８１７号公報
【特許文献４】特許第４０１５１０８号公報
【特許文献５】特許第３９６２７１２号公報
【発明の概要】
【発明が解決しようとする課題】
【００１５】
上記特許文献１に示された従来技術（図３１）では、３６０度方向に照射することが可能な構造となっており、照明手段の筒状部材３１２には、先端が鋭角であるプリズム効果を有する多数の内面突部３１２Ａが所定間隔で列設されることで、効率良く照明領域をより均一に照明することができると共に、筒状部材３１２の外周面には、内面突部３１２Ａと対応する位置にレンズ効果を有する多数の外面凸部または外面凹部が形成されることで、拡光効果を向上することが可能となるとしている。しかしながら、光源体３１４は筒状部材３１２の端部に配置されているのみであり、筒状部材３１２に照射される光源体３１４の光は均一ではなく、したがって手摺り本体３１１全面に均一に照射されるとは考えにくい。また、単位面積あたりの光量も少なくなる（暗い）と考えられる。
【００１６】
また、筒状部材３１２の透明または半透明樹脂には、予め所定量の光反射物または蓄光材を添加するようにしてもよく、光を増幅させ、均一に出射させることが可能となるとしているが、上記のように均一に出射されるとは考えにくい。また、筒状部材３１２に照射される光源体３１４の光が不均一であることから、均一に蓄光されるとは考えにくく、さらには不均一な照射では蓄光自体が正常に起こらないとも考えられる。
【００１７】
また、上記特許文献２に示された従来技術（図３２）では、補助照明器具として既設の手摺り３２１と平行に後付け固定するものであり、新たな設置スペースや工事が必要になってくる。また、目隠し化粧カバー３２６を蓄光材を混入した合成樹脂から成形した場合には、光を蓄積できるとしているが、目隠し化粧カバー３２６に照射される光が均一ではないことから、均一に蓄光されるとは考えにくく、蓄光効率も悪いと考えられる。
【００１８】
また、上記特許文献３に示された従来技術（図３３）では、ブラケット３３２が部分的な照明機能をもったものであり、手摺り本体３３１には照明機能はないため、かなり部分的な照射光しか得られない。従って、ブラケット３３２に蓄光性をもたせた場合においても、部分的な照射光しか得られないし、蓄光効果も少ないと考えられる。
【００１９】
また、上記特許文献４に示された従来技術（図３４）では、特に特徴がないカバーチューブ３４２にＬＥＤ配線基板３４３が隣接しており、手摺り本体Ｇからの均一な照射を実現するためには、多くのＬＥＤ（光源）と、それを点灯させるための電力が必要となると考えられる。
【００２０】
また、上記特許文献５に示された従来技術（図３５、図３６）では、発光体３５４を設置した凹溝の開口が蓄光カバー３５５で塞がれているため、発光体３５４の発光が消えた後でも蓄光カバー３５５が残光を発するとしている。しかしながら、蓄光カバー３５５に発光体３５４が接触した構造であり、均一に蓄光し、正常に残光を発するためには、蓄光カバー３５５と同じ長さの線状発光体を設置する必要がある。
【００２１】
上記問題点に鑑み、本発明は、均一性の高い照射光を必要な場所に照射できる照明機能付き手摺りを提供することを目的とする。
【課題を解決するための手段】
【００２２】
本発明に係る照明機能付き手摺りは、
手摺り本体と、
前記手摺り本体の一部に配置され、前記手摺り本体の長手方向に沿って延在し、透光性を有する化粧カバーと、
前記化粧カバーより内側に配置され、前記手摺り本体の長手方向に沿って延在し、光を反射・拡散してスリットより放射するフラッターと、
前記フラッターの内側に配置された光源と、を備えたことを特徴としている。
【００２３】
このような構成によれば、光源の発光によりフラッターがスリットより均一性の高い光を放射し、化粧カバーを通じて均一性の高い照射光を必要な場所に照射することができる。
【００２４】
また、前記化粧カバーの内側には、前記化粧カバーの長手方向に沿って延在した蓄光材が設けられてもよい。
【００２５】
また、前記化粧カバーに蓄光材が含有されている、または前記化粧カバーに蓄光材を含有した塗料が塗布されていてもよい。
【００２６】
また、前記化粧カバーが前記手摺り本体の複数箇所に配置されていてもよい。
【００２７】
また、前記化粧カバーの内側に配置されて前記化粧カバーの長手方向に沿って延在した蓄光材が一箇所または複数箇所に配置されていてもよい。
【００２８】
また、蓄光材が含有されている、または蓄光材を含有した塗料が塗布されている前記化粧カバーが一箇所または複数箇所に配置されていてもよい。
【００２９】
また、前記光源を固定する配線基板またはリフレクタを備えていてもよい。
【００３０】
また、前記光源は前記配線基板の片面または両面に配置されてもよい。
【００３１】
また、複数配置される前記光源の配置数量及び配置間隔は、前記化粧カバーのサイズに応じて決定されていてもよい。
【００３２】
また、前記手摺り本体の長さが２００ｍｍ〜２０００ｍｍの範囲内であることが好ましい。
【００３３】
また、前記フラッターの形状とサイズ、及び前記スリットのサイズと配置が、前記化粧カバーのサイズと配置、及び前記光源の数量と配置を考慮して設計されていてもよい。
【００３４】
また、前記蓄光材の厚みが１ｍｍ〜１０ｍｍの範囲内であることが好ましい。
【００３５】
また、前記手摺り本体、または前記手摺り本体の一端部に設けられて前記手摺り本体を壁面または床面に固定支持するブラケット、または前記手摺り本体の下方を壁面または床面に固定支持する手摺り本体支持部に、人体を感知するセンサーまたは光を感知するセンサーを配置していてもよい。
【００３６】
また、前記手摺り本体内部、または前記ブラケット内部にタイマーを配置していてもよい。
【００３７】
また、前記手摺り本体内部、または前記手摺り本体の一端部に設けられて前記手摺り本体を壁面または床面に固定支持するブラケット内部に、前記光源に電源を供給するための電源回路を配置していてもよい。
【００３８】
また、外部に設けられた前記光源に電源を供給するための電源回路ユニットを接続可能であってもよい。
【００３９】
また、前記光源はＬＥＤ光源であることが好ましい。
【００４０】
また、複数の前記手摺り本体が、ブラケットによって繋がれてもよい。
【発明の効果】
【００４１】
本発明の照明機能付き手摺りによれば、均一性の高い照射光を必要な場所に照射できる。
【図面の簡単な説明】
【００４２】
【図１】本発明の第１実施形態に係る照明機能付き手摺りの斜視図である。
【図２】本発明の第１実施形態に係る照明機能付き手摺りの分解斜視図である。
【図３】本発明の第１実施形態に係る照明機能付き手摺りの概略側面断面図である。
【図４】本発明の第１実施形態に係る照明機能付き手摺りにおける光の放射状態を示す概略側面断面図である。
【図５】本発明の第２実施形態に係る照明機能付き手摺りの斜視図である。
【図６】本発明の第２実施形態に係る照明機能付き手摺りの分解斜視図である。
【図７】本発明の第２実施形態に係る照明機能付き手摺りの概略側面断面図である。
【図８】本発明の第２実施形態に係る照明機能付き手摺りにおける光の放射状態を示す概略側面断面図である。
【図９】本発明の第２実施形態に係る照明機能付き手摺りにおける蓄光の効果を示す概略側面断面図である。
【図１０】本発明の第３実施形態に係る照明機能付き手摺りにおける蓄光の効果を示す概略側面断面図である。
【図１１】本発明の第４実施形態に係る照明機能付き手摺りの斜視図である。
【図１２】本発明の第４実施形態に係る照明機能付き手摺りの概略側面断面図である。
【図１３】本発明の第４実施形態に係る照明機能付き手摺りにおける光の放射状態を示す概略側面断面図である。
【図１４】本発明の第４実施形態に係る照明機能付き手摺りにおける蓄光の効果を示す概略側面断面図である。
【図１５】本発明の第４実施形態の変形例に係る照明機能付き手摺りの斜視図である。
【図１６】本発明の第５実施形態に係る照明機能付き手摺りの概略側面断面図である。
【図１７】本発明の第５実施形態に係る照明機能付き手摺りにおける光の放射状態を示す概略側面断面図である。
【図１８】本発明の第５実施形態に係る照明機能付き手摺りにおける蓄光の効果を示す概略側面断面図である。
【図１９】本発明の第６実施形態に係る照明機能付き手摺りの概略側面断面図である。
【図２０】本発明の第６実施形態に係る照明機能付き手摺りにおける光の放射状態を示す概略側面断面図である。
【図２１】本発明の第７実施形態に係る照明機能付き手摺りの概略側面断面図である。
【図２２】本発明の第７実施形態における別実施形態に係る照明機能付き手摺りの概略側面断面図である。
【図２３】本発明の第８実施形態に係る照明機能付き手摺りの概略側面断面図である。
【図２４】本発明の第８実施形態に係る照明機能付き手摺りにおける光の放射状態を示す概略側面断面図である。
【図２５】本発明の第９実施形態に係る照明機能付き手摺りの斜視図である。
【図２６】本発明の第９実施形態に係る照明機能付き手摺りの分解斜視図である。
【図２７】本発明の第９実施形態の変形例に係る照明機能付き手摺りの斜視図である。
【図２８】本発明の第１０実施形態に係る照明機能付き手摺りの分解斜視図である。
【図２９】本発明の第１０実施形態の変形例に係る照明機能付き手摺りの分解斜視図である。
【図３０】本発明の第１１実施形態に係る照明機能付き手摺りの斜視図である。
【図３１】第１従来例に係る照明機能付き手摺りの断面図である。
【図３２】第２従来例に係る補助照明器具の断面図である。
【図３３】第３従来例に係る照明機能付き手摺りの斜視図である。
【図３４】第４従来例に係る照明機能付き手摺りの断面図である。
【図３５】第５従来例に係る照明機能付き手摺りの正面図である。
【図３６】第５従来例に係る照明機能付き手摺りの断面図である。
【発明を実施するための形態】
【００４３】
（第１実施形態）
以下に本発明の一実施形態について図面を参照して説明する。本発明の第１実施形態に係る照明機能付き手摺り（以下、照明手摺りと略称）１０１の斜視図を図１に示す。本発明の第１実施形態に係る照明手摺り１０１の分解斜視図を図２に示す。本発明の第１実施形態に係る照明手摺り１０１の概略側面断面図を図３に示す。また、本発明の第１実施形態に係る照明手摺り１０１における光の放射状態を示す概略側面断面図を図４に示す。
【００４４】
図に示すように、本発明の第１実施形態に係る照明手摺り１０１は、手摺り本体１と、手摺り本体支持部２と、化粧カバー３と、フラッター４と、エンドキャップ５と、光源６とを備えている。
【００４５】
手摺り本体１は、外観上円柱状の部材であり、手摺り本体支持部２によって下方を壁面（例えば建物の階段や廊下付近の壁面）に固定支持される。化粧カバー３は、手摺り本体１の一部に配置され、手摺り本体１の長手方向に沿って延在しており、透光性を有している。フラッター４は、化粧カバー３より内側に配置され、手摺り本体１の長手方向に沿って延在しており、フラッター４の内側に配置された光源６が放射した光を反射・拡散して均一性の高い照射光を放射する機能を有している。エンドキャップ５は、光源６を配置したフラッター４を手摺り本体１に挿入した後に手摺り本体１の端部に取り付けられる。
【００４６】
手摺り本体１、手摺り本体支持部２及びエンドキャップ５は、或る程度の強度を有している金属、硬質プラスチック等の材料から形成される。手摺り本体１は、使用場所や用途に応じて最適な長さに決定することができるが、約２００ｍｍ〜２０００ｍｍの範囲内にあることが好ましい。
【００４７】
化粧カバー３は、アクリル樹脂、ウレタン樹脂等の透光性を有する硬質または半硬質の合成樹脂から押出し成形等により成形されており、手摺り本体２が有する開口部２Ａにはめ込まれる。
【００４８】
図４に示すように、フラッター４は、外観上矩形体の形状に形成されており、光源６の光放射方向に光を放射するためのスリット４１Ａが配置された光放射部４１と、光源６を囲むと共に光放射部４１が存在する面以外の五つの面を閉鎖するように形成されて内側面が光を反射する反射面となっている反射部４２とから構成される。光放射部４１には、光源６からの光を所定の割合で放射するスリット４１Ａと、光源６からの光を反射させる反射部４１Ｂ（スリット４１Ａ以外の部分）が設けられる。
【００４９】
これら反射部４２及び光放射部４１の反射部４１Ｂには、光吸収の少ない材質が用いられており、例えば、チタンホワイトやポリテトラフロロエチレンの微粒子を用いることができる。
【００５０】
光放射部４１には、スリット４１Ａのパターンの一単位であるスリットパターンＳＰ（図２参照）が長手方向に複数形成されており、複数の各スリットパターンＳＰに対応して光源６が複数長手方向に設けられている。一つのスリットパターンＳＰにおいて、スリット４１Ａの穴径は、中央部から遠ざかるにつれて大きくなるように形成され、逆に光を反射する反射部４１Ｂは中央部から遠ざかるにつれて小さくなるように形成されている。
【００５１】
光源６から放射された光は、光放射部４１の反射部４１Ｂ及び反射部４２にてほぼ吸収されることなく反射・拡散され、光放射部４１のスリット４１Ａを通して化粧カバー３側に放射される。このとき、上記のスリットパターンＳＰにより、指向性の強い光源６から放射される中央部の光量を制限でき、反射によって中央部より外側の光量を確保できるので、均一性の高い放射光を得ることができる。フラッター４から放射された光は、化粧カバー３を通じて外部に放射されるので、均一性の高い照射光を得ることができる。指向性の強い光源６としては、ＬＥＤ（発光ダイオード）光源を用いることが好ましいがそれに限ることはない。
【００５２】
なお、壁面に設けられた照明スイッチＳＷ（図１、図２）からの配線は、手摺り本体支持部２の内部を通して、光源６に接続すればよい。
【００５３】
このような本発明の第１実施形態に係る照明手摺り１０１によれば、均一性の高い照射光を必要な場所に照射できるので、夜間などで暗い場所でも、手摺りの存在や足元を容易に確認することができる。
【００５４】
なお、複数配置される光源６の配置数量及び配置間隔は、フラッター４や化粧カバー３の形状、サイズに応じて適切なものを選択・決定すればよい。
【００５５】
また、本実施形態に係る照明手摺りは、既存の手摺り本体支持部を利用することも可能である。
【００５６】
（第２実施形態）
本発明の第２実施形態に係る照明手摺り１０２の斜視図を図５に示す。本発明の第２実施形態に係る照明手摺り１０２の分解斜視図を図６に示す。本発明の第２実施形態に係る照明手摺り１０２の概略側面断面図を図７に示す。本発明の第２実施形態に係る照明手摺り１０２における光の放射状態を示す概略側面断面図を図８に示す。また、本発明の第２実施形態に係る照明手摺り１０２における蓄光の効果を示す概略側面断面図を図９に示す。
【００５７】
図に示すように、本発明の第２実施形態に係る照明手摺り１０２は、手摺り本体７と、ブラケット８と、化粧カバー９と、蓄光材１０と、フラッター１１と、光源１２とを備えている。
【００５８】
ここでは上記第１実施形態との相違点について詳細に説明する。ブラケット８は、手摺り本体７の両端部に取り付けられ、手摺り本体７を壁面（例えば建物の階段や廊下付近の壁面）に固定支持する。光源１２を配置したフラッター１１を手摺り本体７に挿入した後に、ブラケット８は手摺り本体７の端部に取り付けられる。
【００５９】
化粧カバー９と蓄光材１０は共に手摺り本体７の長手方向に延在し、手摺り本体７が有する開口部７Ａにはめ込まれる。化粧カバー９の内側に蓄光材１０が配置され、蓄光材１０の内側にフラッター１１が配置される。蓄光材１０の厚みは、１ｍｍ〜１０ｍｍの範囲内であることが好ましいが、その限りではない。
【００６０】
フラッター１１は、第１実施形態でのフラッター４と同様の構造としているので、光源１２が放射した光を均一性の高い光として放射することが可能となっている。そして、フラッター１１から放射された光は、蓄光材１０及び化粧カバー９を通じて外部に放射されるので、均一性の高い照射光を得ることができる（図８）。
【００６１】
また、蓄光材１０に均一性の高い光が照射されるので、蓄光材１０には効率良く光が蓄えられる。従って、光源１２による光の放射が停止された場合に、蓄光材１０に蓄えられた光の放射については、均一性が高く、且つ長時間の放射を得ることができる（図９）。
【００６２】
なお、壁面に設けられた照明スイッチＳＷ（図５、図６）からの配線は、ブラケット８の内部を通して、光源１２に接続すればよい。
【００６３】
このような本発明の第２実施形態に係る照明手摺り１０２によれば、照明スイッチＳＷをオンにして光源１２が光を放射している場合、均一性の高い照射光を必要な場所に照射できるので、夜間などで暗い場所でも、手摺りの存在や足元を容易に確認することができる。また、均一性の高い光が蓄光材１０に照射されるので、蓄光材１０には効率良く光が蓄えられる。従って、照明スイッチＳＷをオフとして光源１２の発光を停止した場合でも、蓄光材１０に蓄えられた光の放射によって均一性の高い照射光を長時間得ることができる。
【００６４】
なお、本実施形態に係る照明手摺りは、既存のブラケットを利用することも可能である。
【００６５】
（第３実施形態）
本発明の第３実施形態に係る照明手摺り１０３における蓄光の効果を示す概略側面断面図を図１０に示す。
【００６６】
本実施形態に係る照明手摺り１０３では、上記第２実施形態において、化粧カバー９とは別の部材である蓄光材１０を使用していたことに代えて、アクリル樹脂、ウレタン樹脂等の樹脂材料に蓄光材（蓄光顔料等）を混合して押出し成形等により成形した化粧カバー９’を使用している。または、フラッター１１から光が入射される入光面９’Ａに蓄光材を含有した塗料を塗布した化粧カバー９’を使用しても良い。
【００６７】
これにより、フラッター１１から放射された均一性の高い光が照射されることで、蓄光材を含有した化粧カバー９’、または化粧カバー９’に塗布された蓄光材を含有した塗料に光が効率良く蓄えられる。従って、蓄えられた光の放射についても、均一且つ長時間の放射を得ることができる。
【００６８】
（第４実施形態）
本発明の第４実施形態に係る照明手摺り１０４の斜視図を図１１に示す。本発明の第４実施形態に係る照明手摺り１０４の概略側面断面図を図１２に示す。本発明の第４実施形態に係る照明手摺り１０４における光の放射状態を示す概略側面断面図を図１３に示す。また、本発明の第４実施形態に係る照明手摺り１０４における蓄光の効果を示す概略側面断面図を図１４に示す。
【００６９】
図に示すように、本発明の第４実施形態に係る照明手摺り１０４は、手摺り本体１３と、手摺り本体支持部１４と、エンドキャップ１５と、化粧カバー１６、１６’と、蓄光材１７、１７’と、フラッター１８と、光源１９とを備えている。
【００７０】
手摺り本体１３は、外観上円柱状の部材であり、手摺り本体支持部１４によって壁面（例えば建物の階段や廊下付近の壁面）に固定支持される。二つの化粧カバー１６、１６’は、手摺り本体１３の一部（二箇所）に配置され、手摺り本体１３の長手方向に沿って延在しており、透光性を有している。
【００７１】
蓄光材１７、１７’は、手摺り本体１３の長手方向に延在し、それぞれ化粧カバー１６、１６’の内側に配置される。化粧カバー１６と蓄光材１７の組、及び化粧カバー１６’と蓄光材１７’の組は、手摺り本体１３が有する二箇所の開口部にそれぞれはめ込まれ、互いに１８０°反対側に配置される。蓄光材の厚みは１ｍｍ〜１０ｍｍの範囲内であることが好ましいが、その限りではない。
【００７２】
フラッター１８は、蓄光材１７、１７’より内側に配置され、手摺り本体１３の長手方向に沿って延在しており、フラッター１８の内側に配置された光源１９が放射した光を反射・拡散して均一性の高い照射光を放射する機能を有している。エンドキャップ１５は、光源１９を配置したフラッター１８を手摺り本体１３に挿入した後に手摺り本体１３の端部に取り付けられる。
【００７３】
図１３に示すように、フラッター１８は、外観上矩形体の形状に形成されており、光を放射するためのスリット１８１Ａを有した互いに対向する光放射部１８１と、光放射部１８１で挟まれる底面に位置する光源１９を囲むと共に光放射部１８１が存在する面以外の四つの面を閉鎖するように形成されて内側面が光を反射する反射面となっている反射部１８２とから構成される。光放射部１８１には、光源１９からの光を放射するスリット１８１Ａと、光源１９からの光を反射させる反射部１８１Ｂ（スリット１８１Ａ以外の部分）が設けられる。
【００７４】
光放射部１８１には、スリット１８１Ａのパターンの一単位であるスリットパターンが長手方向に複数形成されており、複数の各スリットパターンに対応して光源１９が複数長手方向に設けられている。
【００７５】
光源１９から放射された光は、光放射部１８１の反射部１８１Ｂ及び反射部１８２にてほぼ吸収されることなく反射・拡散され、両側の光放射部１８１のスリット１８１Ａを通して蓄光材１７、１７’側に放射される。そして、フラッター１８から放射された光は、一部、フラッター１８と蓄光材１７、１７’の間に設けられた手摺り本体１３の上下の反射面１３Ａ、１３Ｂによって反射され、蓄光材１７、１７’及び化粧カバー１６、１６’を通じて外部に放射されるので、均一性の高い照射光を得ることができる（図１３）。
【００７６】
また、蓄光材１７、１７’に均一性の高い光が照射されるので、蓄光材１７、１７’には効率良く光が蓄えられる。従って、光源１９による光の放射が停止された場合に、蓄光材１７、１７’に蓄えられた光の放射については、均一性が高く、且つ長時間の放射を得ることができる（図１４）。
【００７７】
なお、壁面に設けられた照明スイッチＳＷ（図１１）からの配線は、手摺り本体支持部１４の内部を通して、光源１９に接続すればよい。
【００７８】
このような本発明の第４実施形態に係る照明手摺り１０４によれば、照明スイッチＳＷをオンにして光源１９が光を放射している場合、均一性の高い照射光を複数の必要な場所に照射できる。また、均一性の高い光が蓄光材１７、１７’に照射されるので、蓄光材１７、１７’には効率良く光が蓄えられる。従って、照明スイッチＳＷをオフとして光源１９の発光を停止した場合でも、蓄光材１７、１７’に蓄えられた光の放射によって均一性の高い照射光を長時間、複数の必要な場所に照射できる。
【００７９】
なお、本実施形態の変形例に係る照明手摺り１０４’の斜視図を図１５に示す。図１５に示すように、照明手摺り１０４’は、本実施形態に係る照明手摺り１０４（図１１）においてエンドキャップ１５の代わりにブラケット２０を使用したものとなる。ブラケット２０は、手摺り本体１３の両端部に取り付けられ、手摺り本体１３を壁面に固定支持する。壁面に設けられた照明スイッチＳＷからの配線は、ブラケット２０の内部を通して、光源１９に接続すればよい。
【００８０】
（第５実施形態）
本発明の第５実施形態に係る照明手摺り１０５の概略側面断面図を図１６に示す。本発明の第５実施形態に係る照明手摺り１０５における光の放射状態を示す概略側面断面図を図１７に示す。また、本発明の第５実施形態に係る照明手摺り１０５における蓄光の効果を示す概略側面断面図を図１８に示す。
【００８１】
本実施形態に係る照明手摺り１０５では、上記第４実施形態において、化粧カバー１６、１６’とは別の部材である蓄光材１７、１７’を使用していたことに代えて、アクリル樹脂、ウレタン樹脂等の樹脂材料に蓄光材（蓄光顔料等）を混合して押出し成形等により成形した化粧カバー２１、２１’を使用している。または、フラッター１８から光が入射される入光面２１Ａ、２１’Ａに蓄光材を含有した塗料を塗布した化粧カバー２１、２１’を使用しても良い。
【００８２】
これにより、フラッター１８から放射された均一性の高い光が化粧カバー２１、２１’に照射されるので、化粧カバー２１、２１’を通じて外部へ放射される光も均一性が高くなる（図１７）。
【００８３】
また、フラッター１８から放射された均一性の高い光が照射されることで、蓄光材を含有した化粧カバー２１、２１’、または化粧カバー２１、２１’に塗布された蓄光材を含有した塗料に光が効率良く蓄えられる。従って、蓄えられた光の放射についても、均一且つ長時間の放射を得ることができる（図１８）。
【００８４】
（第６実施形態）
本発明の第６実施形態に係る照明手摺り１０６の概略側面断面図を図１９に示す。本発明の第６実施形態に係る照明手摺り１０６における光の放射状態を示す概略側面断面図を図２０に示す。
【００８５】
本実施形態に係る照明手摺り１０６では、上記第４実施形態（図１２等）と同様に、手摺り本体２２の二箇所の開口部に化粧カバー２３と蓄光材２４の組、及び化粧カバー２３’と蓄光材２４’の組がはめ込まれており、フラッター２５には各組に対応して光放射部２５１が二箇所に設けられる。
【００８６】
上記第４実施形態では、化粧カバーと蓄光材の組が互いに１８０°反対側に配置されていたが、本実施形態では、側面断面において化粧カバー２３と蓄光材２４の組を通る中心線と、化粧カバー２３’と蓄光材２４’の組を通る中心線とがなす角度θ（図１９）が鈍角（９０°＜θ＜１８０°）となるよう化粧カバー２３、２３’及び蓄光材２４、２４’が配置される。そして、フラッター２５の形状とサイズ、及び光放射部２５１が有するスリット２５１Ａのサイズと配置が、化粧カバー２３、２３’と蓄光材２４、２４’のサイズと配置、及び光源２６の数量と配置を考慮して設計される。
【００８７】
これにより、図２０に示すように、二箇所の光放射部２５１からそれぞれ蓄光材２４、２４’に均一性の高い光を照射することが可能となり、化粧カバー２３、２３’を通じて外部に放射される光も均一性を高くすることができる。また、蓄光材２４、２４’に効率良く光を蓄えることができ、蓄えられた光の放射について、均一且つ長時間の放射を得ることができる。
【００８８】
（第７実施形態）
本発明の第７実施形態に係る照明手摺り１０７の概略側面断面図を図２１に示す。図２１に示す照明手摺り１０７は、上記第２実施形態（図７）において、光源１２を固定する配線基板２７またはリフレクタ２７を設けるようにしている。
【００８９】
また、本実施形態における別実施形態に係る照明手摺り１０７’の概略側面断面図を図２２に示す。図２２に示す照明手摺り１０７’は、上記第４実施形態（図１２）において、光源１９を固定する配線基板２７’またはリフレクタ２７’を設けるようにしている。
【００９０】
（第８実施形態）
本発明の第８実施形態に係る照明手摺り１０８の概略側面断面図を図２３に示す。本発明の第８実施形態に係る照明手摺り１０８における光の放射状態を示す概略側面断面図を図２４に示す。
【００９１】
本実施形態に係る照明手摺り１０８では、上記第４実施形態（図１２）と同様に、化粧カバー２９と蓄光材３０の組、及び化粧カバー２９’と蓄光材３０’の組が手摺り本体２８の二箇所に設けられた開口部にはめ込まれている。しかしながら、上記第４実施形態では、一つの光源１９によって二箇所の蓄光材１７、１７’を照射していたが、本実施形態では、二つの光源３２、３２’によって蓄光材３０、３０’を照射するようにしている。
【００９２】
本実施形態では、蓄光材３０側の光源３２が内側に配置されるフラッター３１と、蓄光材３０’側の光源３２’が内側に配置されるフラッター３１’とを設けるようにしている。そして、光源３２と光源３２’を両面に固定する配線基板３３を設けている。
【００９３】
図２４に示すように、フラッター３１及び３１’からそれぞれ蓄光材３０、３０’に均一性の高い光を照射することができ、化粧カバー２９、２９’を通じて外部に放射される光も均一性の高いものとできる。また、蓄光材３０、３０’に効率良く光を蓄えることができ、蓄えられた光の放射について、均一且つ長時間の放射を得ることができる。
【００９４】
（第９実施形態）
本発明の第９実施形態に係る照明手摺り１０９の斜視図を図２５に示す。本発明の第９実施形態に係る照明手摺り１０９の分解斜視図を図２６に示す。
【００９５】
本実施形態に係る照明手摺り１０９は、手摺り本体３４と、ブラケット３５と、手摺り本体支持部３６と、人体感知センサー３７と、化粧カバー３８と、蓄光材３９と、フラッター４０と、タイマー４１とを備えている。
【００９６】
手摺り本体３４は、下方が手摺り本体支持部３６によって壁面に固定支持される。化粧カバー３８及び蓄光材３９は、手摺り本体３４が有する開口部３４Ａにはめ込まれる。光源（不図示）が内側に配置されたフラッター４０と、タイマー４１が手摺り本体３４に挿入された後、人体感知センサー３７を配置されたブラケット３５が手摺り本体３４の一端部に取り付けられる。ブラケット３５によって手摺り本体３４は壁面に固定支持される。また、壁面に設けられた照明スイッチＳＷから光源への電源供給をオンオフ制御する不図示の制御回路も手摺り本体３４内部に設けられる。なお、タイマー４１及び制御回路は、ブラケット３５内部に設けても良い。また、人体感知センサー３７は、手摺り本体支持部３６または手摺り本体３４に設けても良い。
【００９７】
人体感知センサー３７としては、例えば赤外線センサーを用いることができ、特に小型で検出エリアが広い焦電型の赤外線センサーを用いることが好ましいが、その限りではない。赤外線センサーは、周囲と温度差のある人体が動く際に生じる赤外線の変化を検出するセンサーである。少なくとも赤外線が入射するレンズ部をブラケット３５から外部に露出させた状態で赤外線センサー（人体感知センサー３７）は取り付けられる。
【００９８】
人体感知センサー３７として赤外線センサーを用いれば、手摺り本体３４の全長を超える広いエリア（例えば半径５ｍのエリア）で人体を感知できるので、照明手摺り１０９に近づく人体を確実に感知することができる。なお、必要に応じて感度調整回路を設けても良い。
【００９９】
制御回路には、人体感知センサー３７、タイマー４１、光源及び照明スイッチＳＷからの配線が電気的に接続されている。照明スイッチＳＷがオンの状態で人体感知センサー３７が人体を感知すると、制御回路は、照明スイッチＳＷから光源への電源供給をオフからオンへ切替える。これにより、光源が発光を開始し、フラッター４０から均一性の高い光が放射され、蓄光材３９及び化粧カバー３８を通じて外部に均一性の高い光が放射される。
【０１００】
制御回路が照明スイッチＳＷから光源への電源供給をオフからオンへ切替えたときにタイマー４１が時間計測を開始する。タイマー４１が一定時間経過を計測すると、制御回路は、照明スイッチＳＷから光源への電源供給をオンからオフへ切替える。これにより、光源の発光は停止される。ここで、一定時間としては、蓄光材３９に光が蓄えられるのに要する時間とする。これにより、光源の発光が停止された後でも、蓄光材３９に蓄えられた光の放射により、均一性が高く且つ長時間の照射光を得ることができる。従って、照明スイッチＳＷから光源への電源供給を早めにオフに切替えて省電力化を図ったとしても、歩行者が照明手摺り１０９を通過する間は照明手摺り１０９周辺を照射することができる。
【０１０１】
なお、上記のように制御回路が照明スイッチＳＷから光源への電源供給をオンからオフへ切替えたとき、さらにタイマーが時間計測を開始し、一定時間経過が計測されると、制御回路が照明スイッチＳＷから光源への電源供給をオフからオンへ切替えるようにしても良い。ここでの一定時間は、蓄光材３９に蓄えられた光が放射により消失されるのに要する時間である。これにより、蓄光材３９に蓄えられた光による照射が終わるときに光源を発光させて照射を継続することができる。
【０１０２】
なお、本実施形態の変形例として以下が挙げられる。例えば、蓄光材３９の代わりに、蓄光材を含有した化粧カバー３８を用いても良いし、化粧カバー３８の入光面に蓄光材を含有した塗料を塗布しても良い。
【０１０３】
また、人体感知センサー３７の代わりに、照度を検出する照度センサーを用いても良い。この場合は、照度センサーが所定の照度以下となったことを検出すると、制御回路が照明スイッチＳＷから光源への電源供給をオフからオンに切替え、以降は上記と同様の制御を行えばよい。これにより、周辺が暗くなった場合に自動的に照明手摺りを発光させることができる。
【０１０４】
また、図２７に示すように、二箇所の位置に化粧カバー３８’がはめ込まれた手摺り本体３４’を用い、手摺り本体３４’の一端部に取り付けられるエンドキャップ４２に人体感知センサー３７（または照度センサー）を配置するようにしても良い。
【０１０５】
また、蓄光機能は必ずしも有していなくてもよく、この場合は、上記の制御で人体感知センサー３７により人体が感知され、光源への電源供給がオフからオンへ切替えられた後の一定時間としては、歩行者が照明手摺り１０９を通過するのに充分な時間とすることが好ましい。これにより、歩行者が照明手摺り１０９を通過する間は照明手摺り１０９周辺を照射することができる。
【０１０６】
（第１０実施形態）
本発明の第１０実施形態に係る照明手摺り１１０の分解斜視図を図２８に示す。図２８に示す照明手摺り１１０では、フラッター４４の内側に配置された光源（不図示）に電源を供給するための電源回路４５が手摺り本体４３内部またはブラケット４６内部に配置される。照明スイッチＳＷからの配線がブラケット４６内部を通じて電源回路４５に接続され、電源回路４５からの配線が光源に接続される。照明スイッチＳＷをオンにした場合、電源回路４５は、照明スイッチＳＷから供給される交流電源を直流電源に変換して、直流電源を光源に供給する。
【０１０７】
また、本実施形態の変形例としての照明手摺り１１０’の分解斜視図を図２９に示す。ここでは、光源に電源を供給するための電源回路を含んだ電源ユニット４５’を照明スイッチＳＷが設けられる壁面に設けている。
【０１０８】
（第１１実施形態）
本発明の第１１実施形態に係る照明手摺り１１１の斜視図を図３０に示す。図３０に示す照明手摺り１１１では、二箇所の位置に化粧カバー４８がはめ込まれた手摺り本体４７と、二箇所の位置に化粧カバー４８’がはめ込まれた手摺り本体４７’が手摺り繋ぎ用ブラケット５１によって繋がれている。そして、手摺り本体４７、４７’それぞれの一端部にブラケット５０が取り付けられることで手摺り本体４７、４７’が壁面に固定支持される。それと共に、手摺り本体４７、４７’それぞれの一端部の下方が手摺り本体支持部４９によって壁面に固定支持され、手摺り繋ぎ用ブラケット５１の下方がブラケット支持部５２によって壁面に固定支持される。
【０１０９】
手摺り本体４７、４７’内部にはそれぞれ光源が配置されたフラッター（不図示）が配置されている。照明スイッチＳＷからの配線はブラケット５０内部を通して手摺り本体４７側の光源に接続され、手摺り本体４７側の光源と手摺り本体４７’側の光源が電気的に接続されている。これにより、照明スイッチＳＷをオンにすると、手摺り本体４７、４７’それぞれの側の光源が発光し、化粧カバー４８、４８’から外部に均一性の高い照射光が放射される。
【０１１０】
なお、繋ぐ手摺り本体の数は三つ以上としても良い。このような本実施形態によれば、用途や場所に合わせた使用が可能となる。
【０１１１】
以上本発明の実施形態について説明したが、本発明の趣旨の範囲内であれば、実施形態は種々変形が可能である。
【０１１２】
例えば、手摺り本体は手摺り本体支持部やブラケットによって床面に固定支持されていても良い。
【符号の説明】
【０１１３】
１０１、１０２、１０３、１０４、１０４’、１０５、１０６、１０７、１０７’、１０８、１０９、１０９’、１１０、１１０’、１１１  照明機能付き手摺り
１、７、１３、２２、２８、３４、３４’、４３、４７、４７’  手摺り本体
２、１４、３６、４９  手摺り本体支持部
３、９、９’、１６、１６’、２３、２３’、２９、２９’、３８、３８’、４８、４８’  化粧カバー
４、１１、１８、２５、３１、３１’、４０、４４  フラッター
４１、１８１、２５１  光放射部
４１Ａ、１８１Ａ、２５１Ａ  スリット
４１Ｂ、１８１Ｂ  反射部
４２、１８２、２５２  反射部
５、１５、４２  エンドキャップ
６、１２、１９、２６、３２、３２’  光源
８、２０、３５、４６、５０  ブラケット
１０、１７、１７’、２１、２１’、２４、２４’、３０、３０’、３９  蓄光材
１３Ａ、１３Ｂ  反射面
２７、２７’、３３  配線基板（またはリフレクタ）
３７  人体感知センサー
４１  タイマー
４５  電源回路
４５’  電源回路ユニット
５１  手摺り繋ぎ用ブラケット
５２  ブラケット支持部
ＳＰ  スリットパターン
ＳＷ  照明スイッチ
【図１】
2013053476.tif 000003
【図２】
2013053476.tif 000004
【図３】
2013053476.tif 000005
【図４】
2013053476.tif 000006
【図５】
2013053476.tif 000007
【図６】
2013053476.tif 000008
【図７】
2013053476.tif 000009
【図８】
2013053476.tif 000010
【図９】
2013053476.tif 000011
【図１０】
2013053476.tif 000012
【図１１】
2013053476.tif 000013
【図１２】
2013053476.tif 000014
【図１３】
2013053476.tif 000015
【図１４】
2013053476.tif 000016
【図１５】
2013053476.tif 000017
【図１６】
2013053476.tif 000018
【図１７】
2013053476.tif 000019
【図１８】
2013053476.tif 000020
【図１９】
2013053476.tif 000021
【図２０】
2013053476.tif 000022
【図２１】
2013053476.tif 000023
【図２２】
2013053476.tif 000024
【図２３】
2013053476.tif 000025
【図２４】
2013053476.tif 000026
【図２５】
2013053476.tif 000027
【図２６】
2013053476.tif 000028
【図２７】
2013053476.tif 000029
【図２８】
2013053476.tif 000030
【図２９】
2013053476.tif 000031
【図３０】
2013053476.tif 000032
【図３１】
2013053476.tif 000033
【図３２】
2013053476.tif 000034
【図３３】
2013053476.tif 000035
【図３４】
2013053476.tif 000036
【図３５】
2013053476.tif 000037
【図３６】
2013053476.tif 000038